(57)【要約】【課題】収納された果実が搬送中の振動や衝撃によって損傷されることなく、しかも果実を収納した状態のまま店頭に並べて陳列販売することが可能な、個別包装的機能を備えた搬送陳列用果実容器を提供する。【解決手段】果実を１つずつ収納する果実収納凹部と果実収納凹部の開口周縁に延設された鍔部とを備えた果実収納体と、果実収納体の果実収納凹部の底面および側面を覆う凹部収容部と、凹部収容部の開口周縁に延設された鍔受け部とを備えた外枠体と、を有し、外枠体の鍔受け部が果実収納体の鍔部に当接して果実収納体を支える構造の非発泡性の樹脂からなる搬送陳列用果実容器であって、果実収納凹部が外枠体に直接接触せず、鍔部が鍔受け部と面接触する平面接触領域と、鍔受け部と接触しない非接触領域と、鍔受け部と線接触するアーチ状接触領域とを有し、果実収納凹部の壁肉厚が果実収納体の上面から果実収納凹部の底面に向かって薄くなっている構造である。【選択図】  図３
2012101837.tif 000002
【特許請求の範囲】
【請求項１】
果実を１つずつ収納する果実収納凹部と前記果実収納凹部の開口周縁に延設された鍔部とを備えた果実収納体と、
前記果実収納体の果実収納凹部の底面および側面を覆う凹部収容部と、前記凹部収容部の開口周縁に延設された鍔受け部とを備えた外枠体と、を有し、
前記外枠体の鍔受け部が前記果実収納体の鍔部に当接して前記果実収納体を支える構造の搬送陳列用果実容器であって、
前記果実収納体及び前記外枠体は、非発泡性の樹脂からなり、
前記果実収納凹部は、前記外枠体に直接接触せず、
前記鍔部は、前記鍔受け部と面接触する平面接触領域と、前記鍔受け部と接触しない非接触領域と、前記鍔受け部と線接触するアーチ状接触領域と、を有し、
前記果実収納凹部は、壁の肉厚が前記果実収納体の上面から前記果実収納凹部の底面に向かって薄くなっている、
ことを特徴とする搬送陳列用果実容器。
【請求項２】
前記鍔部の肉厚が、０．１ｍｍ以上０．３ｍｍ以下であり、
前記果実収納凹部の肉厚が、０．０１ｍｍ以上で且つ前記鍔部の肉厚以下である、
ことを特徴とする請求項１に記載の搬送陳列用果実容器。
【請求項３】
前記果実収納凹部の底面と、前記凹部収容部の底面との距離が、０．５ｃｍ以上１ｃｍ以下である、
ことを特徴とする請求項１又は２に記載の搬送陳列用果実容器。
【請求項４】
前記鍔受け部の上面と、前記鍔部の最も高い面との距離が、０．３ｃｍ以上１ｃｍ以下である、
ことを特徴とする請求項１、２又は３に記載の搬送陳列用果実容器。
【請求項５】
前記収納容器の内側底面には、環状の底溝が形成され、
前記果実収納凹部の内側面には、前記果実収納凹部上端から前記底面に至る複数の側面溝が形成され、
前記複数の側面溝と前記底溝とが連通している、
ことを特徴とする請求項１ないし４のいずれか１項に記載の搬送陳列用果実容器。
【請求項６】
前記果実収納体及び前記外枠体は、透明である、
ことを特徴とする請求項１ないし５のいずれか１項に記載の搬送陳列用果実容器。
【発明の詳細な説明】
【技術分野】
【０００１】
本発明は果実を収納し保護する容器に関し、詳しくは衝撃や振動から果実を保護し、かつ果実を収納した状態で搬送しそのまま陳列販売可能な搬送陳列用果実容器に関する。
【背景技術】
【０００２】
桃、林檎、梨、洋梨、無花果等の果実は、輸送時や荷役時の衝撃や振動によって傷が付き易い。果実に傷が付くと、見栄えが悪くなり商品価値が低下するとともに、腐り易くなるなどの問題が生じる。
【０００３】
このため、傷つき易い果実については、従来、摘果時に果実個々に発泡樹脂製ネットを被せ表面を保護した状態で箱詰めして出荷し、店頭陳列時には、箱詰めされた果実を箱から取り出し、発泡樹脂製ネットを被せた状態で店頭陳列用プラスチック容器等に小分けして、店頭に陳列して販売する方式が採られている。
【０００４】
しかし、個々の果実に発泡樹脂製ネットを被せるのは手間がかかると共に、店頭陳列時に再度店頭陳列用容器に詰めなおす作業も手間がかかるため、上記方式は作業効率が悪いという問題がある。また、発泡樹脂製ネットは衝撃吸収力に優れるものの、発泡樹脂製ネット単体の体積が嵩高になるため、大きな在庫スペースを必要とするという問題がある。
【０００５】
特許文献１〜３では、このような問題点を解消するため、果実を１個ずつ個装できる果実収納凹部が設けられた発泡樹脂製の緩衝用容器とこれを受ける発泡樹脂製の支持容器とを組み合わせた果実包装用容器が提案されている。
【先行技術文献】
【特許文献】
【０００６】
【特許文献１】特開2010-64760号公報
【特許文献２】特開2010-64761号公報
【特許文献３】特開平11-43186号公報
【０００７】
特許文献１は、弾力性を有する柔軟な発泡樹脂シートから成形され、果実を一つずつ収納できる果実収納凹部が複数列に形成されてなる緩衝用容器と、前記緩衝用容器に比して保形性のある発泡樹脂シートから成形され、緩衝用容器を受支するトレー形状の支持容器とからなる果実包装用容器であって、支持容器は、緩衝用容器の鍔部を受ける側壁部を有するとともに、内方部の複数個所に緩衝用容器の果実収納凹部列間における非凹設部分の一部個所を受ける錐体状の突出支持部が形成され、緩衝用容器を受支した状態において、果実収納凹部の弾性変形を許容できるように設けられたことを特徴とする果実包装用容器に関する。
【０００８】
特許文献２は、弾力性を有する柔軟な発泡樹脂シートから成形され、果実を１つずつ収納できる果実収納凹部が複数列に形成されてなる緩衝用容器と、緩衝用容器に比して保形性のある合成樹脂シートから成形され、緩衝用容器を受支するトレー形状の支持容器とからなる果実包装用容器であって、支持容器は、緩衝用容器の鍔部を受ける側壁部を有するとともに、緩衝用容器の果実収納凹部列間に対応する内方部の個所に該果実収納凹部列間の部分を支持する突出支持部が形成されてなり、該突出支持部は、果実収納凹部列に沿う方向に間隔をおいて複数個所に、果実収納凹部列間における非凹設部分もしくはその近傍の一部個所を受ける頂部が形成されるとともに、該複数の頂部のうちの少なくとも一つの頂部が横長に形成されており、該頂部による支持状態において緩衝用容器の前記果実収納凹部列に沿う方向の動きを規制できるように設けられたことを特徴とする果実包装用容器に関する。
【０００９】
特許文献３は、果物類を保持できるように形成された果実収納凹部を有する、ポリオレフィン系樹脂発泡シートを成形してなる複数の収納容器単位を、該収納容器単位の開口周縁に 設けた連結部によって同一平面上に連結してなり、且つ上記連結部の破断強度が６００〜２０００ｇであることを特徴とする搬送陳列用果物容器に関する。
【００１０】
上記特許文献１〜３に係る発泡樹脂製の容器は、果実を衝撃から保護することができるので、個々の果実に発泡樹脂性ネット（保護ネット）を被せなくともよいという長所を備える。しかし、発泡樹脂製容器は発泡樹脂製ネットと同様またはそれ以上に嵩張るので、これらの技術では、在庫スペースが大きくなるという問題点を解消し難い。
【００１１】
更に、気泡を含ませた発泡樹脂は、気泡が光を散乱し透明性を阻害するため、容器内部に収容された果実の全体状態を外部から目視することができない。このため、果実の状態を確認するために、販売員や客が収納容器から果実を取り出し手に取って見ようとするが、この際、果実に傷が付く等して商品価値が損なわれる。
【発明の概要】
【発明が解決しようとする課題】
【００１２】
本発明は、これらの問題点に鑑みなされたものである。本発明の目的は、作業性よく果実を個別包装することができ、嵩張らず確実に果実を保護でき、かつ果実を収容した状態のままで店頭陳列して販売することができる搬送陳列用果実容器を提供することにある。また、本発明のさらなる目的は、容器内に収納された果実の状態を外部から確実に視認することができる搬送陳列用果実容器を提供することにある。
【課題を解決するための手段】
【００１３】
上記課題を解決するための本発明は、次のように構成されている。果実を１つずつ収納する果実収納凹部と前記果実収納凹部の開口周縁に延設された鍔部とを備えた果実収納体と、前記果実収納体の果実収納凹部の底面および側面を覆う凹部収容部と、前記凹部収容部の開口周縁に延設された鍔受け部とを備えた外枠体と、を有し、前記外枠体の鍔受け部が前記果実収納体の鍔部に当接して前記果実収納体を支える構造の搬送陳列用果実容器であって、前記果実収納体及び前記外枠体は、非発泡性の樹脂からなり、前記果実収納凹部は、前記外枠体に直接接触せず、前記鍔部は、前記鍔受け部と面接触する平面接触領域と、前記鍔受け部と接触しない非接触領域と、前記鍔受け部と線接触するアーチ状接触領域と、を有し、前記果実収納凹部は、壁の肉厚が前記果実収納体の上面から前記果実収納凹部の底面に向かって薄くなっている。
【００１４】
上記構成では、外枠体、果実収納体ともに非発泡性の樹脂からなるが、非発泡性樹脂は、同一体積あたりの強度が発泡性樹脂よりも高い。よって、搬送陳列用果実容器の体積を小さくしても十分な強度を確保できるが、その一方、同一質量当たりでは、発泡性樹脂に比べて衝撃緩和作用（内容物保護機能）が小さいという問題がある。
【００１５】
上記構成においては、果実収納体の果実収納凹部と、外枠体の凹部収容部とが接触しない構造が採用されているので、外枠体が横方向や下方向からの衝撃力を受け止めるので、外部からの衝撃や振動が果実収納体に直接作用することが無い。
【００１６】
また、上記構成では、果実を収納する果実収納凹部が、上面から底面に向かって肉厚が薄くなる構造が採用されている。この構造であると、荷役作業などにおいて上下方向に過大な衝撃力が加わったときには、果実の重力加速度に応じて果実収納凹部が底面側に伸びるので、果実に作用する衝撃力が緩和される。これにより、果実の傷付きが防止される。
【００１７】
さらに、上記構成では、前記果実収納体の鍔部と前記外枠体の鍔受け部とが、線接触するアーチ状接触領域を有している。アーチ状接触領域は、果実収納凹部に伝播する衝撃、振動を和らげる作用がある。また、前記果実収納体の鍔部には、外枠体の鍔受け部と接触しない非接触領域が形成されており、この非接触領域においては鍔部と鍔受け部との間に隙間が形成され、この隙間が果実収納凹部に伝わる衝撃・振動を緩和するように作用する。その一方、鍔部と鍔受け部とが平面的に接触している平面接触領域が、果実収納体を安定的に支持するので、果実の重さによって果実収納凹部が過剰に沈み込むことはない。
【００１８】
以上の説明のごとく、果実収納凹部が耐衝撃性を備えた個別包装材的に機能を有するので、上記構成にかかる搬送陳列用果実容器であると、保護ネットを被せることのない果実をそのまま果実収納凹部に収納するだけで、輸送時や荷役時の振動・衝撃から果実を保護することができる。また、上記構成にかかる搬送陳列用果実容器は、非発泡性の樹脂からなるので、発泡性樹脂を用いた容器または発泡樹脂製ネットで包んだ後に箱に収容する包装形態に比較し、体積当たりの収納力に優れる。よって、店舗や倉庫における在庫スペースが小さくて済む。
【００１９】
また、非発泡性樹脂を用いてなる上記搬送陳列用果実容器は、外部からの視認性を確保することができるので、果実を収納した状態のままで店頭陳列することが可能であり、店頭陳列のための詰め替え作業を必要としない。この分、果実販売における労力を軽減することができる。さらに、非発泡性樹脂は発泡性樹脂に比較して安価であり、容器成型も容易であるので、より低コストでもって搬送陳列用果実容器を提供することができる。
【００２０】
上記構成において、前記鍔部の肉厚が、０．１ｍｍ以上０．３ｍｍ以下であり、前記果実収納凹部の肉厚が、０．０１ｍｍ以上で且つ前記鍔部の肉厚以下である構成とすることができる。
【００２１】
鍔部の肉厚が薄すぎると強度が不十分となるおそれがあり、厚すぎると体積増加や材料コスト高を招く。このため、鍔部の肉厚は、０．１ｍｍ以上０．３ｍｍ以下とすることが好ましい。また、果実収納凹部の肉厚が薄すぎると果実を収納したときに果実収納凹部が破れるおそれがあり、厚すぎると果実収納凹部壁面の剛性が強くなり果実を傷つけるおそれがある。よって、果実収納凹部の厚みは、０．０１ｍｍ以上且つ鍔部の肉厚以下とすることが好ましい。
【００２２】
上記構成において、前記果実収納凹部の底面と、前記凹部収容部の底面との距離が、０．５ｃｍ以上１ｃｍ以下である構成とすることができる。
【００２３】
また、上記構成において、前記縁部の上面と、前記鍔部の最も高い面との距離が、０．３ｃｍ以上１ｃｍ以下である構成とすることができる。
【００２４】
この構成では、果実収納凹部の底面と、凹部収容部の底面との距離を、０．５ｃｍ以上１ｃｍ以下とし、鍔受け部の上面と、鍔部の最も高い面との距離を、０．３ｃｍ以上１ｃｍ以下とするが、このような構成であると、衝撃や振動を吸収する十分な緩衝性が得られる。
【００２５】
上記構成において、前記収納容器の内側底面には、環状の底溝が形成され、前記果実収納凹部の内側面には、前記果実収納凹部上端から前記底面に至る複数の側面溝が形成され、前記複数の側面溝と前記底溝とが連通している構成とすることができる。
【００２６】
この構成では、冷蔵保管時等に果実表面に露つきが発生した場合、当該露が複数本の側面溝に導かれて底側に流れ、環状の溝に貯まる。つまり、この構成であると、露が果実表面に留まらないので、露に起因するカビの発生や果実の腐敗を抑制することができる。
【００２７】
上記構成において、前記果実収納体及び前記外枠体は、透明である構成とすることができる。
【００２８】
この構成であると、容器内に収納された果実の状態を外部から確実に視認することができる。よって、店員や客が果実の状態を確認するためにいちいち果実を手に取って見る必要がないので、たびたびの確認行為によって果実が傷付き、商品価値が短期に低下してしまうという問題を防止することができる。
【００２９】
なお、本発明では非発泡性樹脂を用いるので、容易に透明な搬送陳列用果実容器を作製することができるが、ここでいう透明とは１００％の透明を意味しない。散乱が小さい半透明や、特定波長の光のみを吸収する有色透明もここでいう透明に含まれる。
【発明の効果】
【００３０】
以上に説明したように、本発明によると、果実を簡単な作業で、効率よく嵩高くなく収納でき、かつ収納された果実が搬送中の振動や衝撃によって損傷されることのない耐衝撃緩衝性を備え、しかも果実を収納したままの状態で店頭に並べて陳列販売することが可能な、個別包装的機能を備えた搬送陳列用果実容器を提供することができる。
【図面の簡単な説明】
【００３１】
【図１】図１は、実施の形態１にかかる搬送陳列用果実容器の一方部材である果実収納体の外観を示す斜視図である。
【図２】図２は、実施の形態１にかかる搬送陳列用果実容器の他方部材である外枠体の外観を示す斜視図である。
【図３】図３は、実施の形態１にかかる搬送陳列用果実容器を示す正面図である。
【図４】図４は、実施の形態１にかかる果実収納体の正面図である。
【図５】図５は、実施の形態１にかかる果実収納体の平面図である。
【図６】図６は、図４のＡ−Ａ線断面図である。
【図７】図７は、図４のＢ−Ｂ線断面図である。
【図８】図８は、実施の形態１にかかる外枠体の正面図である。
【図９】図９は、実施の形態１にかかる外枠体の側面図である。
【図１０】図１０は、実施の形態１にかかる外枠体の平面図である。
【図１１】図１１は、図１０のＣ−Ｃ線断面図である。
【発明を実施するための形態】
【００３２】
（実施の形態１）
本発明を実施するための形態を、図面を用いて詳細に説明する。なお、本発明は下記の形態に限定されるものではなく、その要旨を変更しない範囲において適宜変更して実施することができる。
【００３３】
図１は、実施の形態１にかかる搬送陳列用果実容器の一方部材である果実収納体の外観を示す斜視図であり、図２は、実施の形態１にかかる搬送陳列用果実容器の他方部材である外枠体の外観を示す斜視図である。実施の形態１にかかる搬送陳列用果実容器は、図１に示す果実収納体１０と図２に示す外枠体２０とからなり、外枠体２０に果実収納体１０を収容することにより、搬送陳列用果実容器が構成される。
【００３４】
図３は、実施の形態１にかかる搬送陳列用果実容器を示す正面図である。図４は、実施の形態１にかかる果実収納陳列容器の果実収納体の正面図であり、図５は、実施の形態１にかかる搬送陳列用果実容器の果実収納体の平面図である。また、図６は、図５のＡ−Ａ線断面図であり、図７は、図５のＢ−Ｂ線断面図である。
【００３５】
図８は、実施の形態１にかかる搬送陳列用果実容器の外枠体の正面図であり、図９は、実施の形態１にかかる搬送陳列用果実容器の外枠体の側面図であり、図１０は、実施の形態１にかかる搬送陳列用果実容器の外枠体の平面図であり、図１１は、図１０のＣ−Ｃ線断面図である。
【００３６】
図３に示すように、本実施の形態にかかる搬送陳列用果実容器は、果実を一つずつ収納する果実収納凹部１１が設けられた果実収納体１０（図１）と、果実収納体１０を外側から支持する外枠体２０（図２）と、が重ね合わされてなる。そして、果実収納体１０と外枠体２０とが重ねあわされた状態において、果実収納凹部１１と外枠体２０とが接触しておらず、両者間に空隙が設けられている。
【００３７】
この空隙は適当に設定することができるが、好ましい空隙とするには、例えば果実収納凹部１１の底面と、外枠体２０の底面との距離を、０．５ｃｍ以上１ｃｍ以下とする。
【００３８】
果実収納体１０及び外枠体２０の材料としては、非発泡性の樹脂であれば特に材料は限定されないが、熱可塑性樹脂が成型が容易である点で好ましい。熱可塑性樹脂としては、例えばポリエチレン、ポリプロピレン等のオレフィン系樹脂、ポリエチレンテレフタレート、ポリブチレンテレフタレート等のポリエステル樹脂、ポリアミド６・ポリアミド１２等のポリアミド樹脂等を用いることができる。
【００３９】
果実収納体１０及び外枠体２０の材料は、果実の状態を外部より観察し易い点で、透明性材料が好ましいが、必ずしも完全な透明である必要はない。例えば顔料等により着色されていてもよく、その他の可塑剤や添加剤等により光の一部が散乱される半透明でもよい。なお、不透明であることを排除するものではないので、果実の種類や容器の使用態様を考慮して透明、半透明、不透明を適当に設定すればよい。
【００４０】
説明の都合上、先に本実施の形態にかかる外枠体２０の構造を図２、図８〜１１を参照しつつ説明する。
【００４１】
外枠体２０は、図７に示すように、果実収納体１０の果実収納凹部１１を接触しない状態で収容し果実収納凹部１１の側面を覆う凹部収容部２１と、凹部収容部２１の上面の周縁であって果実収納体１０の鍔部１２を受ける鍔受け部２２と、を備え、鍔受け部２２の端部には、鍔受け部２２が底側に折り返されたエッジ部２４が設けられている。
【００４２】
また、図１０、１１に示すように、外枠体２０の凹部収容部２１の底面であって、果実収納凹部１１の底面と対向する位置には、強度を増すために果実収納凹部１１側に突出した凸部２１ａが設けられており、２つの果実収納凹部１１の間となる凹部収容部の中央には、強度を増すために内側に突出した構造の橋状部２３が設けられており、凹部収容部２１の側面部には、強度を増すために凹凸部２５が設けられている（図８、９参照）。なお、凸部２１ａ、橋状部２３、凹凸部２５は、本発明の必須の構成要素ではない。
【００４３】
次に本実施の形態にかかる果実収納体１０を、図１、図４〜７を参照しつつ説明する。
【００４４】
図６，７に示すように、果実収納体１０は、果実を一つずつ収納する断面略半円状の果実収納凹部１１と、果実収納凹部１１周縁の鍔部１２と、を有している。また、図１，６，７に示すように、鍔部１２の端部には、鍔部１２が底側に折り返されたエッジ部１４が形成されている。
【００４５】
なお、本実施の形態では、果実収納凹部１１が２つである例を示しているが、この数に限定されることは無い。果実収納凹部１１は通常、１つ、２つ、４つなどである。果実収納凹部１１の平面形状は略円形（図５参照）、断面形状は略半円形（図６，７参照）としているが、この形状に限定されるものではなく、果実の形状に合わせて適宜変更することができる。
【００４６】
また、図１，５に示すように、２つの果実収納凹部１１の中間には、鍔部１２よりも高さの低い境界部１５が設けられている。この境界部１５を設けることにより、２つの果実収納凹部１１の間隔を狭めることができるが、この境界部１５は本発明の必須の構成要素ではない。
【００４７】
また、図１，４，５に示すように、果実収納凹部１１の傾斜面には、上面（鍔部１１側）から底面側に向かう、外側に突き出てなる複数本の側面溝１１ａが形成され、また果実収納凹部１１の底面には、環状の底溝１１ｂが設けられており、複数本の側面溝１１ａのそれぞれと底溝１１ｂとは連通している。上記側面溝１１ａは、例えば果実収納凹部１１の壁面を筋状に外方に押し出すことにより形成した谷状の溝（内側から見た谷溝）である。
【００４８】
また、図１，４，５に示すように、果実収納体１０の鍔部１２の四隅、及び長辺の中央部、及び短辺の中央部、及び四隅から長辺の長さの１／４の地点には、外枠体２０と面接触する接触領域１２ａ、１２ｂ、１２ｃ、１２ｄが設けられており、さらに接触領域１２ａと接触領域１２ｃとの間及び接触領域１２ｂと接触領域１２ｃとの間には、アーチ状接触領域１２ｅが設けられている。
【００４９】
この構造により、果実収納体１０が外枠体２０に収容されたとき、果実収納体１０の鍔部１２のうち接触領域１２ａ〜１２ｄ及びアーチ状接触領域１２ｅ以外の残余の部分は、外枠体２０の鍔受け部２２と接触せず、果実収納体１０が外枠体２０から浮いた状態（鍔部の一部が鍔受け部２２に接触しない状態）が形成される。
【００５０】
なお、果実収納体１０の鍔部は、外枠体の鍔受け部側の面（図１背面側の面）が機能面となる。
【００５１】
鍔受け部の上面と、この面に対向する鍔部の最上方に位置する面（背面側の非接触領域面）との距離は、衝撃吸収性の点から、０．３ｃｍ以上１ｃｍ以下であることが好ましい。
【００５２】
ここで、接触領域の配置は上記に限定されるものではないが、鍔部１２の少なくとも四隅に接触領域を設けることが好ましく、さらに鍔部１２の長辺及び短辺の中央部等に設けることが好ましい。また、アーチ状接触領域１２ｅの配置も上記に限定されるものではないが、好ましくは１つの果実収納凹部１１に対して２〜１２個設けるのがよい。
【００５３】
果実収納凹部１１は、図６、７に示すように、壁の肉厚が底側に向かって薄くなるように構成されている。鍔部の肉厚は、好ましくは０．１ｍｍ以上０．３ｍｍ以下とする。また、果実収納凹部の肉厚は、好ましくは０．０１ｍｍ以上且つ前記鍔部の肉厚以下とする。
【００５４】
上記した外枠体２０の凹部収容部２１及び果実収納体１０の果実収納凹部１１には、図１、２に示されるように、底側に突き出た突起１３、２６がそれぞれ設けられている。これらの突起は、果実収納体相互、外枠体相互を重ねて保管したときに、密着して剥がしにくくなることを防止するためのものである。これらの突起は、本発明の必須の構成要素ではない。
【００５５】
果実収納体１０及び外枠体２０は、シート状の熱可塑性樹脂をプレス成型することにより作製することができる。ただし、この方法に限定されるものではなく、例えば射出成型を用いて作製することもできる。なお、シート状の熱可塑性樹脂をプレス成型する場合、プレスによるシート材の移動が生じるので、容易に果実収納凹部の肉厚を底側に向かって薄く形成することができる。
【００５６】
上記構造の搬送陳列用果実容器は、次のような効果を奏する。
【００５７】
（１）  外枠体２０及び果実収納体１０は、非発泡性の樹脂からなり、非発泡性の樹脂は発泡性の樹脂よりも単位体積あたりの強度が高いため、発泡性樹脂の容器を用いる場合に比べ、保管時に容器が嵩張ることがない。また、容器への成型が発泡性樹脂よりも容易となる。
【００５８】
（２）  果実を収納する果実収納凹部１１が、上面から底面に向かって肉厚が薄くなっており、柔軟性が高いので、果実収納凹部１１が果実に傷をつけることが無い。
【００５９】
（３）  果実収納体１０の果実収納凹部１１と、外枠体２０の凹部収容部２１と、が接触していないので、果実収納体１０に直接衝撃・振動が作用することが無く、且つ、果実収納凹部１１に伝播する衝撃、振動が、凹部収容部２１と果実収納凹部１１との間の空隙によって吸収されるので、輸送や荷役時に果実が傷付くことが防止される。
【００６０】
（４）  果実収納体１０の鍔部１２と、外枠体２０の鍔受け部２１と、が線接触するアーチ状接触領域１２ｅを有しており、アーチ状接触領域１２ｅは、果実収納凹部１１に伝播する衝撃、振動を吸収するので、輸送や荷役時に果実が傷付くことがさらに防止される。
【００６１】
（５）  果実収納体１０の鍔部１２には、外枠体２０の鍔受け部２２と接触しない非接触領域を有しており、非接触領域における鍔部１２と鍔受け部２２との間の空隙もまた、果実収納凹部１１に伝播する衝撃、振動を吸収するので、輸送や荷役時に果実が傷付くことがさらに防止される。
【００６２】
（６）  果実を冷蔵保存する場合、露が生じることがあるが、この露は溝部１１ａを伝って底面側に移動し、溝部１１ａと連通した環状溝１１ｂにたまることとなるので、露に起因する果実の腐敗等が防止される。
【００６３】
（７）  透明な熱可塑性樹脂を用いると、果実を直接手に取ることなく容器内部の果実の状態を確認できるため、果実を手に取ることによる果実の傷付きを防止できる。
【００６４】
（８）  また、上記搬送陳列用果実容器は、そのまま店頭陳列が可能であるので、陳列の際の詰め替えが不要で有り、作業効率に優れる。
【００６５】
（９）  鍔部１２には、鍔受け部２２と平面同士で接触する領域（接触領域１２ａ〜１２ｄ）があるために、外枠体２０が果実収納体１０を十分に支持でき、果実の重さによって果実収納体が変形して果実収納凹部１１と凹部収容部２１とが接触することが無い。
【００６６】
（１０）  果実収納凹部１１への果実の収納が、発泡ネットを用いるよりも非常に容易である。
【００６７】
これらの効果が相乗的に作用して、嵩張ることが無く、果実を傷つけることが無く、果実を簡便に収納でき、輸送から陳列までを行うことのできる搬送陳列用果実容器が得られる。
【産業上の利用可能性】
【００６８】
以上に説明したように、本発明によれば、嵩張ることが無く、果実に傷をつけることのない、搬送及び店頭陳列に適した搬送陳列用果実容器を実現することができる。よって本発明の産業上の利用可能性は大きい。
【符号の説明】
【００６９】
１０      果実収納体
１１      果実収納凹部
１１ａ    側面溝
１１ｂ    底溝
１２      鍔部
１２ａ    接触領域
１２ｂ    接触領域
１２ｃ    接触領域
１２ｄ    接触領域
１２ｅ    アーチ状接触領域
１３      突起
１４      エッジ部
１５      境界部
２０      外枠体
２１      凹部収容部
２１ａ    凸部
２２      鍔受け部
２３      橋状部
２４      エッジ部
２５      凹凸部
２６      突起
【図１】
2012101837.tif 000003
【図２】
2012101837.tif 000004
【図３】
2012101837.tif 000005
【図４】
2012101837.tif 000006
【図５】
2012101837.tif 000007
【図６】
2012101837.tif 000008
【図７】
2012101837.tif 000009
【図８】
2012101837.tif 000010
【図９】
2012101837.tif 000011
【図１０】
2012101837.tif 000012
【図１１】
2012101837.tif 000013